(57)【要約】【課題】被写体に対し液晶表示部のバックライトの発光を制御することにより、フラット照射を行って調光，マクロ撮影，ズーム角相当の発光，多点発光を可能とし、デザイン上優れた外観を構築するのに支障のないＬＥＤフラッシュ機能を有する携帯情報端末を提供する。【解決手段】液晶パネル３の周辺位置にカメラ部２が配置され、液晶パネル３のバックライトとして液晶パネル３の背面に複数のＬＥＤ５が配置されている。カメラ機能を起動してフラッシュ発光を行う場合、ＬＥＤ５が発光したフラッシュ光の反射光をＳＰＤ素子４が測光し、測光データに基づきカメラ部２が受光する光量が適正になるように液晶パネル３のネマチックのティルト角を制御して調光する。また、マクロ撮影時の適正発光を行う。さらにズームレンズの場合、ズーム角対応になるように液晶パネル３の中央部と周辺部の発光制御を行う。【選択図】        図１
2005017349.tif 000002
【特許請求の範囲】
【請求項１】
カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、
前記ＬＥＤが発光したフラッシュ光の反射光を測光する測光部と、
前記測光部からの測光データに基づき、前記カメラ部が受光する光量が適正になるように前記液晶表示部のネマチックのティルト角を可変させるティルト角制御部とを備え、液晶表示部のチィルト角の制御によって調光することを特徴とするＬＥＤフラッシュ機能を有する携帯情報端末。
【請求項２】
カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、
前記発光制御部は、レリーズオンによってプレ発光を行い、その後に本発光を行うように構成され、
前記ＬＥＤが発光したプレ発光の反射光を測光する測光部と、
レンズ距離データと前記測光部の測定値より発光量を決定する発光量判定部と、
前記発光量判定部で決定した発光量対応の電流で前記ＬＥＤを駆動する駆動電流制御部とを備え、
被写体までの距離が所定値以下の場合、ＬＥＤ駆動電流を減少制御し接写撮影に対し適正発光を行うことを特徴とするＬＥＤフラッシュ機能を有する携帯情報端末。
【請求項３】
カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、
前記カメラ部はズームレンズであり、
前記ズームレンズをズーミングする操作部と、
前記操作部のズーミング操作に従って前記液晶表示部の周辺部エリアと中央部エリアに配置されたＬＥＤの発光による輝度をそれぞれ制御する制御部とを備え、
前記ズームレンズの画角に応じて前記液晶表示部の周辺部エリアの発光量と中央部エリアの発光量を変えることを特徴とするＬＥＤフラッシュ機能を有する携帯情報端末。
【請求項４】
カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、
スレーブ機能を起動する操作部と、
測光部と、
前記スレーブ機能の起動により、前記ＬＥＤをフラッシュモードに切り替える切替部と、
前記測光部が所定以上の光量を検知したとき、前記ＬＥＤをフラッシュモードで同期発光させる同期制御部とを備え、
主ストロボ発光手段の発光を受けてスレーブ発光し多灯フラッシュ撮影を可能にしたことを特徴とするＬＥＤフラッシュ機能を有する携帯情報端末。
【請求項５】
前記液晶表示部に拡散板を装着する手段を有し、
前記拡散板の装着によって前記ＬＥＤ発光をさらにフラット化することを特徴とする請求項１乃至４記載のＬＥＤフラッシュ機能を有する携帯情報端末。
【発明の詳細な説明】
【０００１】
【発明の属する技術分野】
本発明はＬＥＤフラッシュ装置、さらに詳しくいえば、該ＬＥＤフラッシュ機能を搭載した携帯電話機，ＰＨＳ，ＰＤＡなどの携帯情報端末に関する。
本発明に用いるＬＥＤは、ｌｉｇｈｔ  ｅｍｉｔｔｅｒ  ｄｉｏｄｅ（発光ダイオード）  の略で、特にストロボ光に適した白色光を発する発光ダイオードであり、この他の色（例えば赤，青，緑など）を発する発光ダイオードも含むものである。
【０００２】
【従来の技術】
本件出願人は、携帯電話用フラッシュとして、ＬＥＤ使用による小型ストロボ装置を提案している（特許文献１）。
この小型ストロボ装置は、点光源のＬＥＤ構成となっており、また、このＬＥＤは、被写体を照らす光源として用いるものである。
【０００３】
ところで、この提案のＬＥＤは、点光源であるため被写体に照射する光量にフラット性はなく、画像の中心と周辺の光量差が大きい。そのため照射光の均一性を確保するのが困難である。
また、ＬＥＤフラッシュ１灯において、画角を満足した適正露出を得られる撮影距離は５０〜６０ｃｍである。例えば１ｍで３灯必要とすれば、照射強度は距離の２乗の反比例するため、２ｍではＬＥＤが１２灯必要となる。よって、多灯にするとＬＥＤを携帯電話外観面に置くスペースはなく、デザイン的にも見栄えが悪くなる。
さらに点光源であるため被写体の影が強くでてしまうという問題がある。特に直ぐ後ろに壁などの背景を控えた人物撮影などは顕著である。
【０００４】
そこで、カメラ機能付き携帯情報端末にストロボ装置を設ける一形態として液晶表示部のバックライトを利用するものが提案されているが、実用的なフラットなストロボ光として利用する場合、適切なフラットストロボ光を得るために従来のストロボ装置にはない特別な回路機構が必要になる。
例えば、被写体に対し適正な露出を得るために点光源とは異なる発光量を制御する機構が必要となる。また、銀塩カメラにおけるマクロ撮影（接写）では、特別な形状（例えばリング状）のストロボ光を用いて照射ムラを極力なくし、かつ適切な光量になるように制御しているが、液晶表示部のバックライトは、表示部特有の発光制御がされているため、これをフラットなストロボ光にしてマクロ撮影するためには特別の制御が必要となる。さらに、従来のストロボ装置ではレンズのズーム倍率にしたがって点光源の反射板の位置を前後させて発光角を変更できるものが存在するが、液晶表示部のバックライトにそのような機構を盛り込むことは困難である。
【０００５】
また、携帯情報端末がストロボ機能付き携帯電話機である場合には、他人の携帯電話機を借りることにより一時的に複数台揃えることが容易であるので、複数台の携帯電話機のストロボを用いて多点フラッシュ装置を構築することが考えられる。
【特許文献１】
特開２００３−１０１８３６号公報
【０００６】
【発明が解決しようとする課題】
本発明は上記諸問題を解決するもので、その目的は、被写体に対し液晶表示部のバックライト発光を種々制御することにより、フラット照射を行いつつ調光，マクロ撮影，ズーム角相当の発光，多点発光を可能とし、デザイン上も優れた外観を構築できるＬＥＤフラッシュ機能を有する携帯情報端末を提供することにある。
【０００７】
【課題を解決するための手段】
前記目的を達成するために請求項１記載の発明は、カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、前記ＬＥＤが発光したフラッシュ光の反射光を測光する測光部と、前記測光部からの測光データに基づき、前記カメラ部が受光する光量が適正になるように前記液晶表示部のネマチックのティルト角を可変させるティルト角制御部とを備え、液晶表示部のチィルト角の制御によって調光することを特徴とする。
請求項２記載の発明は、カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、前記発光制御部は、レリーズオンによってプレ発光を行い、その後に本発光を行うように構成され、前記ＬＥＤが発光したプレ発光の反射光を測光する測光部と、レンズ距離データと前記測光部の測定値より発光量を決定する発光量判定部と、前記発光量判定部で決定した発光量対応の電流で前記ＬＥＤを駆動する駆動電流制御部とを備え、被写体までの距離が所定値以下の場合、ＬＥＤ駆動電流を減少制御し接写撮影に対し適正発光を行うことを特徴とする。
請求項３記載の発明は、カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、前記カメラ部はズームレンズであり、前記ズームレンズをズーミングする操作部と、前記操作部のズーミング操作に従って前記液晶表示部の周辺部エリアと中央部エリアに配置されたＬＥＤの発光による輝度をそれぞれ制御する制御部とを備え、前記ズームレンズの画角に応じて前記液晶表示部の周辺部エリアの発光量と中央部エリアの発光量を変えることを特徴とする。
請求項４記載の発明は、カメラ部と、液晶表示部のバックライトとして該液晶表示部の背面に配置された複数のＬＥＤと、カメラをレリーズオンしたとき、撮像動作に同期して前記ＬＥＤを発光させる発光制御部とを有し、前記ＬＥＤを液晶表示部のバックライトとストロボ撮影のフラッシュ光源として共用できる携帯情報端末において、スレーブ機能を起動する操作部と、測光部と、前記スレーブ機能の起動により、前記ＬＥＤをフラッシュモードに切り替える切替部と、前記測光部が所定以上の光量を検知したとき、前記ＬＥＤをフラッシュモードで同期発光させる同期制御部とを備え、主ストロボ発光手段の発光を受けてスレーブ発光し多灯フラッシュ撮影を可能にしたことを特徴とする。
請求項５記載の発明は、請求項１乃至４記載の発明において前記液晶表示部に拡散板を装着する手段を有し、前記拡散板の装着によって前記ＬＥＤ発光をさらにフラット化することを特徴とする。
【０００８】
【作用】
請求項１によれば、液晶表示部のバックライトのＬＥＤの発光量を制御でき、適切な調光が可能となる。請求項２によれば、マクロ撮影の適正発光が可能となる。請求項３によれば、ズームレンズの画角に応じて照射角を変えることができる。請求項４によれば、液晶表示部のバックライトによる多点フラッシュ発光が可能となる。請求項５によれば、液晶バックライト光を一層フラット化できる。
【０００９】
【発明の実施の形態】
以下、図面を参照して、本発明の実施の形態を詳しく説明する。
図１は、本発明によるＬＥＤフラシュ機能を有する携帯情報端末の外観を示す斜視図である。
図１（ａ）においてフリップ式携帯電話機１の蓋側１ａの中央に液晶パネル３が配置されている。液晶パネル３の上部にカメラ部２が、さらにその上部にスピーカ２０が配置されている。液晶パネル３の下部には被写体からの反射光を受光するＳＰＤ素子４が配置されいる。
【００１０】
一方、基部側１ｂには主にボタン類が配置されており、中央にテン・文字入力キー８が、上部に決定ボタン（レリーズボタンにもなる）１０が、その周囲に移動方向を選択する選択キー１１がそれぞれ配置されている。さらにその右上にカメラ起動キー１２が配置されている。基部側１ｂの下端にはマイク９が配置されている。カメラが起動されてフラッシュ撮影が選択されれば、液晶パネル面はフラッシュ発光面となり、フラットなフラッシュ光３ａを発光する。
図１（ｂ）に液晶バックライト部６の構成を示す。液晶バックライト部６には複数の白色光のＬＥＤ５が縦横に配置され、ＬＥＤ５の光が前面側に出射される。フラッシュ発光時はバックライト時よりＬＥＤ５に多くの電流を流すように制御される。
【００１１】
図２は、本発明によるＬＥＤフラシュ機能を有する携帯情報端末の回路の実施の形態を示すブロック図である。
本図は本発明に直接関連する回路部分のみを記載し、他の部分は省略してある。ＣＰＵ２１はカメラ動作および発光に関する制御を行う回路であり、主な制御内容はカメラ回路７の制御，調光制御，複数のＬＥＤ５によりなるバックライト部６への電流供給制御である。また、レンズがズームレンズであれば、バックライト部６の中央部と周辺部にそれぞれ配置されたＬＥＤの発光強度を制御する機能を有し、選択キーにより操作された場合も、操作にしたがってバックライト部６の中央部と周辺部の発光強度を変える。さらにスレーブフラッシュ機能が選択された場合にはスレーブ制御を行う。
【００１２】
ＣＰＵ２１には至近から無限を示すレンズデータ１８，カメラモード設定スイッチ（カメラ起動キー）１９からの信号，ＳＰＤ４からの入射光の検知信号およびその他のキー入力信号が入力される。偏光角度制御部２２は、ＣＰＵ２１が適正光量を受光したときに送られてくる制御信号により、液晶パネル３の偏光角を制御してバックライト部のＬＥＤ５からの光を遮光することにより調光制御を行う。ＬＥＤ電源ＩＣ１３は、ＬＥＤドライバ１４，定電圧の昇圧回路１６およびＬＥＤ電流切替スイッチ１６を有しており、バックライト部６のＬＥＤ１５の駆動制御およびＬＥＤ１５の駆動電流の切り替えを行う。ＬＥＤ電流切替スイッチ１６は定電流回路の抵抗値を抵抗Ｒ１またはＲ２に切り替える電子スイッチで、抵抗値を切り替えることによってＬＥＤの駆動電流を変えることができる。例えば、抵抗Ｒ１に切り替った場合にはＬＥＤ１５に２０ｍＡが、抵抗Ｒ２に切り替った場合には２００ｍＡの駆動電流が流れる。２０ｍＡ場合には通常の液晶パネルのバックライトとしての駆動であり、２００ｍＡの場合にはフラッシュ発光時の駆動である。
【００１３】
Ｉ２  Ｃ１７は、バックライト部６の中央部と周辺部の発光強度を任意に変えるための回路で、携帯電話やカメラの通信に用いる制御信号であり、これに同期させることにより８ビットで可変でき２５６段階で中央部と周辺部の発光強度をコントロールすることができる。
カメラ回路部７は、ＣＰＵ２１からの指示によってカメラ撮影動作を行う回路で、撮像素子，撮像素子制御部，画像処理部，メモリ部などからなる。ＣＰＵ２１は本発光制御をしたとき、所定のタイミングでカメラ回路部７に指示信号を出力し、カメラ回路部７は指示信号により被写体像を読み込み、所定処理をしてメモリ部に記憶する。
【００１４】
図３はツイステッドネマティック（ＴＮ）液晶パネルのティルト角および透過率の電圧依存性を示すグラフである。
ＳＰＤ素子４によってフラッシュ光を受けて調光する場合の液晶の印加電圧であり、横軸は印加電圧（Ｖ）、縦軸はティルト角（度）と光透過率（％）を示している。
例えば、１Ｖの電圧が印加されると、液晶部のネマチックのティルト角は約２０度であり、光透過率は１００％近い値となり、ＬＥＤ発光量の略１００％が通過する。２．５Ｖの電圧が印加されると、ティルト角は約７０％で、光透過率は略０％になる。
図４にＴＮ液晶を通過する直線偏光の位相のズレを示す。
印加する電圧値により分子配列が変わり透過率を変える。電圧値によって位相が９０度捩じれる。例えばディレクタと直線偏光のなす角が０度の場合には、直線偏光は１００％通過するが、なす角が２０度の場合、通過光量は減少する。
【００１５】
図５はバックライト点灯とフラッシュ点灯時の波形の一例を示す図で、図６は発光に関する各信号のタイミングチャートである。
液晶表示動作ではＣＰＵ２１は、液晶バックライト部のＬＥＤ５に流す電流を図５（ａ）に示すように例えば２０ｍＡになるように制御する。
一方、カメラ機能が起動されてフラッシュ発光を選択した場合には、図５（ｂ）に示すように例えば２００ｍＡのパルス電流を流してプレ発光を行い、画像取り込みに同期して２００ｍＡの電流を５００ｍＳの期間流して本発光を行う。
図６においてプレ発光信号が出力されると、水平同期信号ＶＤ  に同期してシャッタ信号ＳＵＢが出力され、本発光を受けた被写体の反射光は撮像素子上に結像し、その像は撮像素子に読み込まれる。撮像素子に蓄積された電荷は転送され画像データとして所定処理がされてメモリ部に記憶される。
【００１６】
図７はフラッシュ撮影動作の流れを説明するためのフローチャートである。
カメラ起動キー１２を押してカメラ機能を起動すると、液晶パネル３にはフラッシュ発光するか否かを選択するための選択アイコンが表示され、フラッシュ発光を選択しない場合には、シャッタボタンを兼ねる決定ボタン１０をレリーズするとフラッシュ発光することなく撮影が行われる。フラッシュ発光を選択した場合には、フラッシュ発光撮影となる。
構図を決めて決定ボタン１０を押すと、ＣＰＵ２１はレリーズ信号を検知してＬＥＤ電源ＩＣ１３を制御し、ＬＥＤ電流切替スイッチ１６を切り替えＬＥＤ５に大電流の駆動電流を流しプレ発光を行う（ステップ（以下「Ｓ」という）０１）。プレ発光は中心付近のＬＥＤのみを発光させても良いし、またすべてＬＥＤを発光させてもよい。ＣＰＵ２１はＩ２  Ｃ１７のシリアルデータによって中心付近のＬＥＤのみか、すべてのＬＥＤを発光させる制御を行うことができる。
【００１７】
ＣＰＵ２１はレンズデータ１８（至近または無限のデータ）から被写体の位置を判定する（Ｓ０２）。被写体の位置は距離または画角を示すデータによって行なわれる。そして、プレ発光の反射光をＳＰＤ素子４で測光し反射光量を判断する。ＣＰＵ２１は、ＳＰＤ４からの測光データからフル発光では光量が多すぎると判定した場合にはフル発光において偏光角度制御部２２を制御し適正な光量を受けた時点で液晶ネマチックのティルト角を変えてＬＥＤ５の発光を遮断する。すなわち調光を行う（Ｓ０３，Ｓ０４）。フル発光でも光量が少ない場合にはフル発光を行う（Ｓ０３，Ｓ０４）。
上記ＳＰＤでフラッシュ光量を被写体の反射光で判断しているのは、被写体の反射率も含めて測光ができるためであり、被写体の反射率に左右されないからである。図８にレンズデータとプレ発光の反射を検知してフラッシュ光制御を行う過程を示す。
【００１８】
なお、レンズデータから所定の距離（例えば１５ｃｍ）以内、すなわち接写すると判定した場合には、通常のフラッシュ発光量、例えば駆動電流２００ｍＡでは大きすぎる。そこでＣＰＵ２１はＬＥＤ５の電流駆動量を減少させる。図２のＬＥＤ電流切替スイッチ１６の例は抵抗Ｒ１，Ｒ２の２段階で切り替えているが、フル発光駆動電流より減少させた電流を流す抵抗値を増設することにより対応することができる。例えば、電流７０ｍＡをＬＥＤ５に供給できるような値の抵抗を設け、定電流回路の抵抗値として切り替える。
【００１９】
図９は液晶表示部のバックライトＬＥＤの配置例を示す図である。
ＬＥＤを中央部Ａに含まれるものと、その周辺部Ｂに含まれるものとに分け、中央部のＬＥＤと周辺のＬＥＤの発光強度をレンズのズーム角に対応して変えるように制御することができる。
カメラ部２がズームレンズの場合、ズームボタン機能を兼ねるテン・文字入力キー８によってズーミングが可能である。ＣＰＵ２１はこのズーミングに対応して中央部のＬＥＤと周辺のＬＥＤの発光強度（輝度）を制御し実質的に照射画角を変えることができる。
【００２０】
また、中央部Ａと周辺部Ｂに含まれるＬＥＤの発光強度を操作によって変えることもできる。かかる場合、フラッシュ時のＬＥＤ光量設定の画面を表示させ、周辺部と中央部の何れかを選択キー１１により選択し、その発光強度すなわち駆動電流を選ぶこととなる。これにより接写時の周辺光量落ちを補正することが可能となる。また、キャッチアイを被写体に入れる場合には、Ａ部中央のみの発光を選択することもできる。
液晶画面の中央に対し周囲の光量が落ちる原因は、レンズの特性と発光光量の特性劣化の２つが考えられる。
【００２１】
図１０は、スレーブ機能に用いる場合のＳＰＤ素子の配置例を示す図、図１１は、多点フラッシュの例を説明するための図である。
図１０に示すように基部１ｂの背面にＳＰＤ素子２３を設け、携帯電話機にスレーブ機能を持たせ多灯ＬＥＤフラッシュができるようにしている。
被写体にフラッシュ光を照射させる場合、１灯発光では、被写体の影が強くでてしまうため多灯で影を少なくするものである。
携帯電話機の選択キー１１を押してフラッシュ撮影のスレーブ機能を選択する。ＣＰＵ２１はＬＥＤをフラッシュ発光のモードに切り替え、ＳＰＤ素子２３からの光の入力に同期してＬＥＤを発光するように制御する。このような制御により携帯電話機はスレーブフラッシュ発光を行うことができる。
【００２２】
一方、カメラ撮影をする携帯電話機（以下「撮影携帯電話機」と称す）２５のカメラ起動キー１２が押されると、液晶パネル３にはフラッシュ撮影するか否かの選択画面が表示されるためフラッシュモードを選択する。撮影携帯電話機２５は被写体２８に対しスレーブフラッシュ発光を行う２つの携帯電話機２６，２７の後ろ側または側部であって、撮影携帯電話機２５のフラッシュ光の一部が、携帯電話機２６，２７の背面のＳＰＤ素子２３に入射するような位置での構えとなる。撮影者が決定ボタン１０を押してレリーズすると、撮影携帯電話機２５のフラッシュが発光し、発光の一部は携帯電話機２６，２７のＳＰＤ素子にそれぞれ入射し、各携帯電話機２６，２７のスレーブ機能がトリガーされ、ＳＰＤ素子の入射光に同期して各携帯電話機２６，２７のＬＥＤフラッシュが発光する。
各方向からフラッシュ光を当てることができ、光量が増加するため、ストロボ撮影できる被写体までの距離が伸び、しかも影の発生が緩和される。
この実施の形態では撮影携帯電話機の発光を検知するためのＳＰＤ素子を基部１ｂの背面に設けた例を説明したが、スレーブ側の携帯電話機は被写体に対し液晶パネルを向け、かつＳＰＤ素子を、撮影携帯電話機の発光を受信する方向に向けなければならない。フリップ式携帯電話機では折曲量によって方向をある程度調整することができるが、限界がある。そこで、３６０度何れにも回転可能な突起部を設け、その一部にＳＰＤ素子を設けることもできる。
【００２３】
図１２は液晶表示部に拡散板を装着する場合の例を示す図である。
さらにフラッシュ光のフラット化を図るため発光時には液晶パネル面にディフューザを取り付けることができる。
携帯裏面カバー２９にディフュザー機能をもたせ、携帯裏面カバー２９を携帯電話機１から取り外して二点鎖線２８ａに示すように液晶パネル３の前面に取り付けフラッシュ光を拡散させるようにできる。
【００２４】
以上の実施の形態は、携帯情報端末として携帯電話機を用いた例を示したが、この他にＰＨＳ，ＰＤＡに適用することができ、ディジタルカメラにも適用することもできる。また、ＬＥＤの取付け密度を周辺位置ほど大きくして周辺光量落ちを予め少なくるするように構成することもできる。また、白色光ではなく色の付いた光を発光させることも可能で、色付きの照明光による撮影も可能である。
【００２５】
【発明の効果】
以上、説明したように本発明によれば、液晶表示部のバックライトをフラッシュ光として用いる携帯情報端末において、簡易な回路構成で調光が可能になり、被写体が遠距離から接写位置にいずれにあってもストロボ光が適正になるように制御でき、レンズ画角に対応した発光角度に実質的に同じになるような発光も可能である。また、多点フラッシュとしても容易に用いることができる。
【図面の簡単な説明】
【図１】本発明によるＬＥＤフラッシュ機能を有する携帯情報端末の外観を示す斜視図である。
【図２】本発明によるＬＥＤフラッシュ機能を有する携帯情報端末の回路の実施の形態を示すブロック図である。
【図３】ツイステッドネマティック液晶パネルのティルト角および透過率の電圧依存性を示すグラフである。
【図４】ＴＮ液晶を通過する直線偏光の位相のズレを説明するための図である。
【図５】バックライト点灯とフラッシュ点灯時の波形を示す図である。
【図６】発光に関する各信号のタイミングチャートである。
【図７】フラッシュ撮影動作を説明するためのフローチャートである。
【図８】フラッシュ光制御に到る動作を説明するための図である。
【図９】液晶表示部のバックライトＬＥＤの配置例を示す図である。
【図１０】スレーブ機能に用いる場合のＳＰＤ素子の配置例を示す図である。
【図１１】多点フラッシュの例を説明するための図である。
【図１２】液晶表示部に拡散板を装着する場合の例を示す図である。
【符号の説明】
１  携帯電話機（携帯情報端末）
２  カメラ部
３  液晶パネル（液晶表示部）
４  ＳＰＤ素子（フォトダイオード）
５  ＬＥＤ
６  液晶バックライト部
８  テン・文字入力キー
９  マイク
１１  選択キー
１２  カメラ起動キー
１３  ＬＥＤ電源ＩＣ
１４  ドライバ
１５  昇圧回路
１６  ＬＥＤ電流切替スイッチ
１７  Ｉ２  Ｃ
１８  レンズデータ
１９  カメラモード設定スイッチ
２０  スピーカ
２１  ＣＰＵ
２２  偏光角度制御部
【図１】
2005017349.tif 000003
【図２】
2005017349.tif 000004
【図３】
2005017349.tif 000005
【図４】
2005017349.tif 000006
【図５】
2005017349.tif 000007
【図６】
2005017349.tif 000008
【図７】
2005017349.tif 000009
【図８】
2005017349.tif 000010
【図９】
2005017349.tif 000011
【図１０】
2005017349.tif 000012
【図１１】
2005017349.tif 000013
【図１２】
2005017349.tif 000014